(57)【要約】バッグ形本体と一対のショルダーストラップを有するバックパック、特に学校児童が使用するバックパックに利用され、合理的な形でユーザーの肩にわたってバックパックの重量を振り分けるのに効果的な、バックパック付属部品を提供する。付属部品は本質的に、ショルダーストラップ（Ｔ＝バッグ形本体（ＣＳ）の上領域にたいして最も近くに位置する）の特定箇所を固定するために配置された二つの湾曲部材（１）を備える。それらの部材はショルダーストラップ（Ｔ）の前記箇所と交換するか、連結してもよく、各々がワンピース構造体（２，２Ａ）である実質的に一対の非柔軟な湾曲部材から成るか、または互いに接合された幾つかのピース（６，１１）から成る。好ましい実施形態によると、付属部材は各々、ショルダーストラップ（Ｔ）に着脱可能に連結できる数個のピース（１１）で形成され、そのピースの少なくとも一つ（１４）がロック形式の一対の部材から成っている。
2005522253.tif 000002
【特許請求の範囲】
【請求項１】
バッグ形本体（ＣＳ）と一対のショルダーストラップ（Ｔ）を有するバックパック、特に学校の生徒達によって使用されるバックパックに利用し、ユーザーの肩に掛かる合理的な形でバックパックの重量を振り分けるのに効果的なバックパック付属部品において、
バッグ形本体（ＣＳ）の上領域の最も近くに位置する複数のショルダーストラップ（Ｔ）の箇所を実質的に硬直させるように構成された、二つの湾曲部材（１）ことを特徴とする付属部品。
【請求項２】
バッグ形本体（ＣＳ）の上領域に対して、ショルダーストラップ（Ｔ）の最も近い箇所を適所に取り付けた実質的に非柔軟な二つの屈曲部材を備えることを特徴とする請求項１に記載の付属部品。
【請求項３】
バッグ形本体（ＣＳ）の上領域に対してショルダーストラップ（Ｔ）の最も近い箇所と結合する実質的な非柔軟な二つの屈曲部材を備えることを特徴とする請求項１に記載の付属部品。
【請求項４】
前記の実質的な非柔軟な二つの屈曲部材（１）が、その底側を柔軟な屈曲材料（３）でライニングされることを特徴とする請求項１〜３のいずれか一項に記載の付属部品。
【請求項５】
実質的に非屈曲性の一対の湾曲部材から成り、各々がワンピース構造体（２，２Ａ）であることを特徴とする請求項１〜４のいずれか一項に記載の付属部品。
【請求項６】
実質的に非柔軟な一対の湾曲部材（１）を備え、前記湾曲部材が互いに接合された数個のピース（６）から作られることを特徴とする請求項１〜４のいずれか一項に記載の付属部品。
【請求項７】
前記部材（１）が中空構造で、前記ショルダーストラップ（Ｔ）のうち一つにわたり各々適切に滑るようになっていることを特徴とする請求項５に記載の付属部品。
【請求項８】
前記部材（１）が、ホルダー（４）に蝶番結合されており、前記ホルダーがバックパック（Ｚ）のバッグ形本体（ＣＳ）の上領域に適切に付けることを特徴とする請求項５に記載の付属部品。
【請求項９】
前記ショルダーストラップ（Ｔ）にわたって適切に滑る中空ピースから作られた部材（１）を有することを特徴とする請求項６に記載の付属部品。
【請求項１０】
各部材（１）における蝶番結合ピース（６）のうち一方の先端部（７）は、バックパック（Ｚ）のバッグ形本体（ＣＳ）の上領域に付けることができ、その末端部がそれに固定されるショルダーストラップ（Ｔ）を支持することを特徴とする請求項６に記載の付属品。
【請求項１１】
各部材（１）における蝶番結合ピース（６）のうち一方の先端部（９）が、バックパック（Ｚ）のバッグ形本体（ＣＳ）の上領域に付けることができ、ショルダーストラップ（Ｔ）が前記先端ピース（９）からそれに接続される他のピース（６）を介して延びることを特徴とする請求項６に記載の付属部品。
【請求項１２】
部材（１）が数個の形成ピース（１１）から作られ、各々が着脱可能な方法で、少なくとも一つのピース（１４）がロック可能な方法で、ショルダーストラップ（Ｔ）と適切に結合されることを特徴とする請求項６に記載の付属部品。
【請求項１３】
前記部材（１）の前記先端ピース（１１）が、解放可能なフープ（１２）によってショルダーストラップに結合でき、他のピース（１４）が解放可能なカムロック装置（１５，１６，１７）によって、ショルダーストラップに連結されることを特徴とする請求項１２に記載の付属部品。
【請求項１４】
ロック装置構成部（１９，２０）が設定角度に維持する各部材の接合ピース（１１）と、個々の前記ピースとの間に介在することを特徴とする請求項１２に記載の付属部品。
【請求項１５】
各部材（１）における個々の接合ピース（１１）の間の設定角度が、調節可能であることを特徴とする請求項１２または１３に記載の付属部品。
【請求項１６】
前記ロック装置構成部（１９，２０）は、前記各接合ピース（１１９）の一方の側部に、歯車（１９）とロック可能なバネ偏倚摺動部（２０）を取り付けて備えており、前記摺動部が隣接した一方の前記ピースにける歯車（１９）の歯と適切に噛み合う端部ジョー（２１）を形成することを特徴とする請求項１２〜１４のいずれか一つに記載の付属部品。
【請求項１７】
脊椎の異常な湾曲を校正する方法に使用することを特徴とする請求項１〜１６のいずれか一項に記載の付属部品。
【発明の詳細な説明】
【技術分野】
【０００１】
本発明は、特に学校児童による使用を目的としたバックパックに関連しており、バックパックとその内容物を合わせた重量が、合理的な形でユーザーの肩にわたって振り分けられ、不快で痛みを生じ易く、結局は特に若いユーザーの中で筋肉と骨格の変形を生じさせるような、好ましくない身体の姿勢を取らないようにする。
【背景技術】
【０００２】
現在、様々なデザインで利用しているどの学校用バックパックも、背中に背負って運ぶ際に、男子生徒と女子生徒が重いテキストとノートを入れた時に、彼らの肩を通るキャンバスまたは革製のストラップにより引き下げるようなバックパックの自然な傾向に対抗するため、潜在的に有害な身体の姿勢を取りがちである。彼らは、肩ストラップの圧力に抵抗するため、胴前に対し上体を曲げた姿勢にもなりがちである。若いユーザーの反応は、バックパックのバランスを保つように前に曲がった姿勢で止まり、それにより疲労が増し、ついには彼／彼女の骨構造（特に脊椎）と筋肉を緊張させる。
【０００３】
この全てが若者に対し彼らの成長期に有害な影響を及ぼす。
【０００４】
その状態は結果的に重大なものではないが、バックパックの他のユーザーにとって、例えば小さなハンドバッグよりむしろ小さなバックパックを、その中にかなり重たい物品を入れて使用する女性、またはハイキング、サイクリングまたはクロスカントリースキースペルのため出かける時、バックパックと共にものを運ぼうとするスポーツマン／スポーツウーマンにとって、好ましいものではない。
【発明の開示】
【発明が解決しようとする課題】
【０００５】
本発明は、バックパック付属部品を提供することによって上記で述べた状況を改善することを目的に、バックパックの重量をユーザーの肩にわたって適切に振り分けて、バックパックの重量により不自然に上体を無理に曲げることを和らげる。
【課題を解決するための手段】
【０００６】
それらの目的は、本発明によりバッグ形の本体と一対のショルダーストラップから成るバックパック用、特に学校の生徒用バックパック用の付属部品によって達成され、それは二つの湾曲部材が、バッグ形本体の頂部に対して最も近くに位置したショルダーストラップ部分を実質的に硬直させることを特徴とする。湾曲部材は好ましくは実質的に非屈曲パーツであり、その非屈曲パーツは、バッグ形本体（ＣＳ）の頂部の最も近くに位置するショルダーストラップ箇所（Ｔ）の適所か、前記箇所に関連して取り付けられる。
【０００７】
それら実質的に曲がらない湾曲部材は、ユーザーの快適性を改善するため柔軟な屈曲材料でライニングされた底部を有する。
【０００８】
第一実施形態において、本発明の付属部品は実質的に一対の非屈曲湾曲部材を備えており、その各々がワンピース構造である。それらの部材は前記ショルダーストラップにわたる滑りのために中空内部を有するか、またはホルダーに蝶番接続され、バックパックのバッグ形本体の上領域に固定することができる一端と、ショルダーストラップに接続される他端を有し得る。
【０００９】
第二実施形態では、本発明の付属部品が互いに結合された幾つかのピースから形成された、実質的に非屈曲な一対の湾曲部材を備える。これらの部材が、ショルダーストラップにわたる滑りに適応する中空ピースを備えるか、結合した中空ピースの先端部がバックパックのバッグ形本体の頂部に取り付けられ、後端部がショルダーストラップに取り付けられ得る。また、各部材の結合ピースの先端部が、バックパックのバッグ形の本体の頂部に取り付けられ得、ショルダーストラップが前記先端ピースから別のピースを介して延び得る。
【００１０】
第二実施形態の好ましい変形例である第三実施形態において、本発明の付属部品がショルダーストラップに着脱可能に連結するのに適切な、好ましく形成した数個のピースから各々が形成された部材を備え、それらピースの少なくとも一つがストラップに付けられる。前記部材のピースは、着脱可能なフープによってショルダーストラップに連結され、前記のピースは着脱可能なカムロック装置によって連結される。好ましくは、この付属品のバージョンは各部材の結合ピースを、互いに設定角度にロックする構成体を具備する。各部材の結合ピースは従って、調節可能である。好ましくはロック装置は、個別の結合ピースの一側に据え付けられ、歯車と、隣接したピース歯車の歯に噛み合う端部ジョーを有したロック可能なバネ偏倚摺動部とを備える。
【発明を実施するための最良の形態】
【００１１】
ここに以下で本発明を、多くの変形可能な実施例のうち現時点で好ましい一つを添付図面を参照して、更に詳細に説明する。
【実施例１】
【００１２】
図面を参照すると、本発明の課題は本発明による利用度の高いセットと、本発明の付属部品Ｍを形成するきつい湾曲部材を設けたバックパックＺを背中に背負った少女Ｂの改善した身体の姿勢と、を示した図１１で最もよく図示されている。そのような湾曲部材、バックパックＺのバッグ形の本体ＣＳの上領域に最も近くに位置するショルダーストラップの特定箇所を交換できるか、連結させることができる。
【００１３】
図１１から分かるように、バッグ形本体ＣＳに近いショルダーストラップＴのきつい上部箇所が、バックパックの重量をユーザーの肩に伝えて、ユーザーが直立姿勢を保つのが難しくなくなるように、バックパックを背負うために最適な位置にして、もはや前記脊椎の問題の原因である前方へ上体を強制的に曲げた姿勢にならないようにする。
【００１４】
前記のように、本発明は様々な実施形態にでき、その幾つかの実施例を以下で記載する。
【００１５】
本発明による第一実施例は、図１及び図３に示されており、実質的に非屈曲性の一対の湾曲部材１が、各々ワンピースで形成されている。
【００１６】
図１の実施例において、部材１は木製、金属製またはプラスチック製の中空湾曲ピース２を備えており、それは商業的に利用可能なバックパックの各ショルダーストラップにわたって、図８に示されているように適切に滑るもので、バックパックＺのバック形本体Ｓの頂部後方壁に接触する。中空ピース２の底側は、ユーザーの肩とより良好に接触するように柔軟に曲がる材料でライニングされている。
【００１７】
図３の実施例において、湾曲部材１はさらに木製、金属製またはプラスチック製の湾曲部材２Ａを備えているが、中空構造を必要としていない。それらのピースは、ショルダーストラップが通常吊り下がる領域に固定できるホルダー４に蝶番結合されている。この設計は特に、新しいバックパックの製造に適しており、既に製造されているバックパックを本発明により変形するには不適切な場合、新しいバックパックを製造するために適している。実際にバッグ形本体の作用領域はそれらを硬直させるため、何らかの適切な機械手段によってホルダー４を備えることが必要である。硬直効果は幾つかの方法、例えば追加の金属製またはプラスチックプレートを取り付けることによって、またはバックパックＺのバッグ形本体ＣＳに、ショルダーストラップＴを接続できる剛性または半剛性金属製の壁を備えることによって得られる。ショルダーストラップは、先ずここでホルダー４から遠位のピース２Ａの端部に取り付けられる。ユーザーの身体に適合するようにバックパック付属部品を仕立てるため、ホルダー４に対して傾斜したセットのピース２Ａを図示していない装置によって調節して保持できる。
【実施例２】
【００１８】
図２、図４及び図５に示されている発明のバックパック付属品の第二実施例において、実質的に非屈曲な一対の湾曲部材１が使用されており、それは互いに接合された幾つかのピースを備えている。それらの部材１は、図２に示されているようなバックパックのショルダーストラップが滑るのに適した中空穴を備えている。また図４に示されているように、各部材１において蝶番接続されたピース６の先端部分７が、バックパックＺのバッグ形本体ＣＳの頂部で硬直領域に、前記ピース６の後端部分８に固定されるショルダーストラップと共に固定される。図５に示されている変形例において、各部材１における前記蝶番結合ピース６の先端部分９が、バックパックＺのバック形本体ＣＳの壁に対してより固く接続するため、他のピースよりもかなり長くなっており、ショルダーストラップ１０が先端ピース９から他のピース６全てを通して延びて、図５に示された部材１の湾曲パターンを形成するように、適切な方法で前記ピースに接続されている。
【実施例３】
【００１９】
第三実施例では、第二実施例の現行で好ましい変形例に関して、発明を二つの部材１を有するバックパック付属部品によって、最も効果的に具体化したものであり、各々の部材が着脱可能な形式でバックパックのショルダーストラップに連結するように適切な、相対的に厚みが少ない数個の硬直形成ピース１１から成っている。ピース１１の幾つかは、着脱可能なフープによって、（図６〜図８に示されていない）ショルダーストラップのうち各一つに緩く連結しており、フープは符号１３で先端を成すベルクロ（Velcro：商標）である一対のストリップ１２が、ショルダーストラップをわたって互いに連結することで形成される。それらピースの少なくとも一つ１４は、着脱可能なロック装置に組み込まれる。図６は、開いた構造の側面保持具１７において、ピン１６の周囲を回動するＬ形カムレバー１５を備えたロック装置を示している。一旦ショルダーストラップをピース１４を介してカムレバー１５の下に通されると、部材１がショルダーストラップに沿って動けるようになる位置と、部材１がショルダーストラップに対してかき下げられ位置との間を、カムレバーを動作でき、ユーザーの身体に適合するように、バックパックＺのバッグ形本体ＣＳから適切な距離だけ離す。それらの部材１のピース１１、１４が、柔軟な屈曲部材１８でライニングされた底側を、（基本的にピース１１の形状によって好ましい）ユーザーとのより快適な接触のために有している。
【００２０】
好ましくは上記の実施例において、順方向連結手段（図７及び図８）が選択的に互いに角度を成す位置にピースをロックするため、ここに蝶番結合されたピースに配置され、それによって更にユーザーの身体に及び／またはユーザーの好みに合わせて、付属部品の更にぴったりと合うようになる。蝶番結合されたピース１１及び／または１４を任意の傾斜角度にセットするため、ロック装置が前記ピースの一側に備えられ、図７の好ましい実施例によると、前記装置は小歯車１９と摺動部２０を備えている。歯車１９がピース１１及び／または１４の側部の一端に隣接して配置し、摺動部２０をその側部に沿って移動させる。一端に摺動部２０が隣接したピース１１または１４上で歯車１９の歯に噛み合うジョー２１と共に形成されており、摺動部の他端に取り付けられたバネ１１によって隣接したピースから離れるように偏倚される。二つのピース１１と／または１４の間を任意の傾斜角度にさせた後、一つのピースの摺動部２０をバネ１４の偏倚力に対してシフトさせて、別のピースにある歯車１９に噛み合わせ、それによってそれらのセット位置に両方のピースを互いにロックする。二つのピース１１及び／または１４の間の角度関係を維持するため、摺動部２０は、テーパー状のピン２３のこぶ付き端部２５を摺動部２０にある適合穴を介して動かすことで、歯車１９と噛み合った位置でロックされる。セッティングを変えるため、ピン２３を解放し、バネ２２が強制的に摺動部２０を動かし、ジョー２１と歯車１９とのかみ合わせを外す。保持具２６は、ピース１１の側部に対して近くに摺動部２０を保持するため、スロット２７に沿って摺動可能なシャンクを有する。
【００２１】
上記の有利なバックパック付属部品は、図６〜図８を参照すると、商業的に利用可能なバックパックの全てのタイプを改装でき、並びに新たに製造したバックパックに応用でき、バックパックＺに応用する行為については、図１０に示す。
【００２２】
本発明による付属部品を組み込んで、少女Ｂによって背負われたバックパックＺを、図１１に示す。
【００２３】
本発明を適切に記載しているが、本発明が多数の異なる型式で実施され得ようと、全て所有権の範囲内であると考える。本発明はユーザーの肩に掛かるバックパックの重量を良好に振り分ける目的を達成し、それによって成長期の若いユーザーに害を及ぼし得るバックパックにより、上体を曲げた姿勢を取らせるような以前の傾向を正す。加えて、本発明によるバックパック付属品は、バックパックに内容物を詰めて並はずれて重くなった時でも、より効果的に背負うことができることによって、バックパックをより簡単且つ快適に使用できるようにする。
【００２４】
更に本発明による付属部品は、バックパックの重量により上体を曲げた姿勢を取らせる傾向をなくすことによって、若いユーザーに害を加えないようにするだけでなく、脊柱側湾症、脊柱前湾症、脊柱後湾症により既に確立した形、及び脊椎の別の異常な湾曲を矯正する。
【００２５】
これによって実質的に非柔軟な湾曲部材をユーザーの肩にわたって適切に配置して、バックパックの重量を順に適切に校正して、好ましくは異常な湾曲に対抗する方向に向ける（例えば脊柱前湾症を正すために好ましくは後方へ向ける）。
【００２６】
本発明はショルダーストラップの様々な箇所の剛性を調節することによって、更なる矯正を行い、ショルダーストラップを特定の箇所で全体的に固くし、別の箇所で部分的に柔軟または全体的に柔軟にすることも可能にする。
【図面の簡単な説明】
【００２７】
【図１】本発明による第一実施例の二つの付属部材のうち一つの斜視図。
【図２】本発明による第二実施例の二つの付属部材のうち一つを示した図１に類似した図。
【図３】図１に示された本発明による実施例の変形例。
【図４】図１に示された本発明による実施例の変形例。
【図５】図２に示されている本発明による実施例の別の変形例。
【図６】実用価値が増す本発明による第三実施例。
【図７】図６に示された付属部品の詳細図。
【図８】図６に示された付属部品を図７の視点から90°の位置から見た詳細図。
【図９】図１の付属部品を普通のバックパックに利用する方法を示した斜視図。
【図１０】図１の付属部品を普通のバックパックに利用する方法を示した斜視図。
【図１１】少女の背中に背負えるように、本発明による付属部品を組み込んだバックパック。
【図１】
2005522253.tif 000003
【図２】
2005522253.tif 000004
【図３】
2005522253.tif 000005
【図４】
2005522253.tif 000006
【図５】
2005522253.tif 000007
【図６】
2005522253.tif 000008
【図７】
2005522253.tif 000009
【図８】
2005522253.tif 000010
【図９】
2005522253.tif 000011
【図１０】
2005522253.tif 000012
【図１１】
2005522253.tif 000013
【国際調査報告】
2005522253.tif 000014
2005522253.tif 000015